(57)【要約】      （修正有）【課題】設置状態で前面が面一でスペース的に有利で、かつごみ投入口を簡単に大きく開口させることができてごみを容易に投入でき、メンテナンスも容易に行え、しかも大きな収容容積を確保できる分別収集ごみ箱を提供する。【解決手段】前面開口の外ケース２内に、上面開口の収容ケース３をその底部を支点にして前方に回動可能に収容した分別収集ごみ箱１であって、収容ケース３の底部の前部に底面から斜め前方上向きに傾斜した傾斜カット部１６を形成してその後端に回動支点となる係合突起１７を設けて回動支点を後方に移動させ、かつ傾斜カット部１６の前後方向の長さを収容ケース３の前後長の１／４以上、１／２以下の範囲内に設定した。【選択図】図４
0003114152.tif 000002
【実用新案登録請求の範囲】
【請求項１】
前面開口の外ケース内に、上面開口の収容ケースをその底部を支点にして前方に回動可能に収容した分別収集ごみ箱であって、収容ケースの底部の前部に底面から斜め前方上向きに傾斜した傾斜カット部を形成してその後端に回動支点を設け、傾斜カット部の前後方向の長さを収容ケースの前後長の１／４以上、１／２以下の範囲内に設定したことを特徴とする分別収集ごみ箱。
【考案の詳細な説明】
【技術分野】
【０００１】
本考案は、ごみを分別収集するために複数のごみ箱を上下や左右に並列して配置するのに好適な分別収集ごみ箱に関するものである。
【背景技術】
【０００２】
近年、環境保護のため、家庭から排出されるごみの収集に際して、燃焼可能なごみ、燃焼不可のごみ、再生可能なごみなどに分別して収集されるようになっている。そこで、各家庭においても、分別せずに捨てられたごみの山を後で分別するのは、手間がかかる上に衛生上からも好ましくないので、ごみを種類毎に分別して捨てることができるように、複数のごみ箱を組み合わせ可能な若しくは組み合わせた分別収集ごみ箱を使用する必要性が高くなっている。
【０００３】
このような分別収集ごみ箱は、従来から種々提案されており、その中でも複数のごみ箱を上下に積み重ねて設置した積み重ね設置方式の分別収集ごみ箱は、限られたスペースに比較的収容容量の大きい複数のごみ箱を設置することができるので、キッチン等に適したものである。この積み重ね設置方式の分別収集ごみ箱においては、少なくとも上から２段目以下のごみ箱は前面からごみを収容できるように構成する必要があり、そこで単一の枠体に上下に複数の引き出し設置空間を設け、各引き出し設置空間にそれぞれ単純な引き出し式のごみ箱を設置したものが一般的に知られている。
【０００４】
また、独立したごみ箱を上下に積み重ねて配置し、上部のごみ箱は上面にごみ投入口とそれを開閉する蓋体を設け、下部のごみ箱は前面上部にごみ投入口とそれを開閉する蓋体を設けたものも知られている（例えば、特許文献１参照。）。
【０００５】
また、複数の支持枠を上下に積み重ね、各支持枠に上面開口のごみ容器を支持枠の前面から出し入れ自在にかつ前縁下部を支点にして前傾可能に収容配置し、ごみ容器を前傾させて開口した上面開口からごみ容器内にごみを投入するようにしたものも知られている（例えば、特許文献２参照。）。
【特許文献１】特許第２８４００３７号明細書
【特許文献２】意匠登録第１１２５８３６号公報
【考案の開示】
【考案が解決しようとする課題】
【０００６】
ところが、単一の枠体に複数の引き出し式のごみ箱を設置したものでは、単純に蓋体を開いてごみを捨てるようにしたものに比して、ごみを捨てる際にごみ箱をスライドさせて出し入れする必要があるため、手間がかかって使い勝手が悪いという問題がある。
【０００７】
また、特許文献１の分別収集ごみ箱においては、独立したごみ箱を上下に積み重ね、下部のごみ箱の前面上部にごみ投入口と蓋体を設けているが、上部と下部のごみ箱の前面をほぼ面一にした場合、下部のごみ箱のごみ投入口が垂直に開口するため、その蓋体を開いてごみを投入する動作がし難いという問題があり、ごみを投入し易いようにごみ投入口を斜め上向きに開口させるには、下部のごみ箱の前面を上部のごみ箱の前面よりも前方に突出させる必要があり、その分前後に大きな設置スペースが必要になるという問題がある。さらに、掃除等のメンテナンスを行う際には、上下のごみ箱を分離する必要がありかつ各ごみ箱の構造が複雑であるため手間がかかり、使い勝手が悪いという問題がある。
【０００８】
また、特許文献２の分別収集ごみ箱においては、設置状態では前面が面一でスペース的に有利であり、かつ各ごみ容器をその前縁下部を支点にして前傾させることで、その前傾角度に応じて所要の大きさのごみ投入開口を手前に開口させることができるので、ごみを容易に投入でき、かつ掃除等のメンテナンスを行う際にも各ごみ容器を取り出して容易に行うことができる等の利点を有しているが、ごみ容器を前傾させたときにその上縁が支持枠に干渉しないようにするために、ごみ容器の上縁を側面視で、前縁下部を中心とする円弧形状より低くする必要があり、そのため実際上はごみ容器の前後長さが前面高さの０．８倍程度を超えると後端壁の高さが極端に低くなって容器としての機能を損なってしまうことになり、ごみ容器の高さ寸法に比して収容容積の小さいものしか実現できないという問題がある。
【０００９】
本考案は、上記従来の問題点に鑑み、設置状態で前面が面一でスペース的に有利で、かつごみ投入口を簡単に大きく開口させることができてごみを容易に投入でき、メンテナンスも容易に行え、しかも大きな収容容積を確保できる分別収集ごみ箱を提供することを課題とする。
【課題を解決するための手段】
【００１０】
本考案の分別収集ごみ箱は、前面開口の外ケース内に、上面開口の収容ケースをその底部を支点にして前方に回動可能に収容した分別収集ごみ箱であって、収容ケースの底部の前部に底面から斜め前方上向きに傾斜した傾斜カット部を形成してその後端に回動支点を設け、傾斜カット部の前後方向の長さを収容ケースの前後長の１／４以上、１／２以下の範囲内に設定したものである。
【００１１】
この構成によると、外ケース内に収容ケースを収容した状態で、上下や左右に並列配置して設置しても前面が面一でスペース的に有利であり、かつ収容ケースを回動支点を中心にして前方に回動させることで収容ケースの上面開口が前面の前方に大きく開口してごみを容易に投入でき、また外ケースから収容ケースを取り出すことでメンテナンスも容易に行え、しかも収容ケースの底部の前部に底面から斜め前方上向きに傾斜した傾斜カット部を形成してその後端に上記回動支点を形成し、回動支点を後方に移動させたことで、収容ケースの前後長を十分に長くし回動角度を比較的大きくしても、収容ケースの後端での高さ寸法を十分に確保することができ、その結果収容ケースの前部の底部に所要の傾斜カット部を設けていても収容スペースを大きく確保することができ、大きな収容容積を確保することができる。なお、傾斜カット部の前後長が収容ケースの前後長の１／４未満では、収容スペースを大きくする効果が不十分であり、１／２を超えると、傾斜カット部の容積が大きくなって収容スペースを大きくする上記効果が減殺されてしまうとともに前面に大きな凹みが目立って見栄えも良くなくなる。
【考案の効果】
【００１２】
本考案によれば、設置状態では前面が面一でスペース的に有利であり、かつ収容ケースを前方に回動させるとごみの投入口が前方に開口してごみを容易に投入でき、また外ケースから収容ケースを取り出してメンテナンスも容易に行え、しかも収容ケースの底部の前部に収容ケースの前後長の１／４以上、１／２以下の傾斜カット部を形成して収容ケースの回動支点を後方に移動させたことで、収容ケースの前後長を十分に長くし回動角度を比較的大きくしても、収容ケースの後端での高さ寸法を十分に確保することができ、その結果収容ケースの収容容積を大きく確保することができるという多大な効果が得られる。
【考案を実施するための最良の形態】
【００１３】
以下、本考案の分別収集ごみ箱の一実施形態について、図１〜図１３を参照して説明する。
【００１４】
図１において、１は分別収集ごみ箱で、図示例では２つの分別収集ごみ箱１を上下に積み重ね状態で設置している。分別収集ごみ箱１は、図２〜図１０に示すように、全体外形が略直方体状で前面開口の外ケース２と、この外ケース２内に、その前面開口２ａから取出し可能に収容された、上面開口の箱状の収容ケース３にて構成されている。
【００１５】
外ケース２は、底枠壁４と、底枠壁４の両側面から一体に立ち上がる両側壁５と、底枠壁４の後端面から一体に立ち上がる後壁６と、両側壁５と後壁６の上端を連結する上壁７と、外ケース２の前面の四周縁に設けられた前面枠８を備えている。前面枠８の上辺８ａ及び両側辺８ｂは上壁７及び両側壁５より外方に突出し、下辺８ｃは底枠壁４の前面の上半部を形成している。また、底枠壁４の上面は、収容ケース３を出し入れし易いように前縁に向けて僅かに下方傾斜させて形成されている。
【００１６】
外ケース２の上壁７の前部両側には、図１１に詳細に示すように、前面枠８の上辺８ａの両側部から後方に向けて適当長さの上係合レール９が一体的に形成されている。この上係合レール９は、断面倒立Ｌ字でその水平フランジ９ａが互いに内向きに形成されている。また、外ケース２の底枠壁４の前部両側部には、上係合レール９に対応させて適当長さの下係合レール１０が一体的に形成されている。この下係合レール１０は、上係合レール９に対して上下及び左右に係合するようにその水平フランジ１０ａが外向きの断面Ｌ字状に形成されている。また、前面枠８の下辺８ｃの下係合レール１０に対向する部分は、上係合レール９を円滑に挿入できるように切欠開口８ｄが形成されている。
【００１７】
外ケース２の後壁６の下端縁両側部には、図１２に詳細に示すように、樹脂ヒンジ１１を介して上下回動自在に結合片１２が一体的に連設されている。結合片１２の略中央部には嵌合穴１３が設けられている。また、後壁６の上部と下部の両側部に、結合片１２を当該外ケース２の後壁６に当接させた状態及び当該外ケース２の下部に配置した外ケース２の後壁６に当接させた状態の時にそれぞれ嵌合穴１３に嵌入係合するように嵌合突部１４が突出形成されている。
【００１８】
なお、結合片１２に嵌合穴１３、後壁６に嵌合突部１４をそれぞれ設けるのではなく、図１３に示すように、逆に結合片１２の表裏両面に嵌合突部１４を、後壁６に嵌合穴１３若しくは図示のように嵌合凹部１３ａを形成しても同様の作用が得られることは明らかである。さらには、結合片１２の一方の面に突出する突部を形成するとともに、その突部の内部に他方の面に開口する凹部を形成し、それに対応して後壁６の上部と下部の一方に突部が嵌合する嵌合凹部を形成し、他方に凹部に嵌合する突部を突出形成しても良い。
【００１９】
外ケース２の底枠壁４の前端から適当距離後方に離れた位置の両側部には、図４及び図９、図１０に示すように、左右方向に適当な長さの係止溝１５が形成されている。この係止溝１５の前縁と底枠壁４の前端との間の距離Ｃは、収容ケース３の前後長の１／４以上、１／２以下の範囲内に設定されている。
【００２０】
収容ケース３は、図２〜図４、図９、図１０に示すように、底部の前部に斜め上向きに傾斜した傾斜カット部１６が形成されている。この傾斜カット部１６の前後方向の長さは上記距離Ｃに等しく設定され、かつ傾斜カット部１６の収容ケース３の底面に対する傾斜角Ｄは、２５度〜３０度程度に設定されている。なお、この傾斜角Ｄは、収容ケース３の長さ寸法や上下高さ寸法によっては２０度〜４０度程度の角度範囲に設定することも可能である。この傾斜カット部１６の後端に隣接して収容ケース３の底面に係止溝１５に嵌入係合して収容ケース３の回動支点として機能する係合突起１７が突設されている。
【００２１】
収容ケース３の傾斜カット部１６の前端より上部の前面は、外ケース２の前面枠８に僅かな隙間をあけて丁度嵌合する幅と高さの前面板１８にて構成され、その上端に全幅にわたる取手部１９が前方に突出させて設けられている。収容ケース３の前面板１８を除く上縁の側面形状は、図９に示すように、前面から距離Ｃの範囲は前面板１８の上端より若干低い底面と略平行な直線にて形成され、その後部は係合突起１７の前端基部を中心とし、中心角が前記角度Ｄにほぼ等しい円弧にて形成され、それより後部はこの円弧に対する接線にて形成されている。かくして、収容ケース３を外ケース２に収容した状態で、取手部１９を手前に引くことで、図３に示すように、収容ケース３を係合突起１７の前端基部を中心にして傾斜カット部１６が底枠壁４上面に当接するまで前方に回動させ、収容ケース３の上面開口の前部を外ケース２の前面より外方に大きく突出させることができ、ごみを収容ケース３内に容易に収容することができる。
【００２２】
なお、収容ケース３の前面板１８を除く周壁の上端部３ａは、外方に僅かに膨出されるとともに適当間隔置きに下向きにスリット２０が形成され、収容ケース３内に収容袋を設置してその開口端部をこれらのスリット２０に係止できるように構成されている。
【００２３】
以上の構成の分別収集ごみ箱１によれば、複数の分別収集ごみ箱１を上下に積み重ねた状態で一体結合して設置する場合には、まず下側の分別収集ごみ箱１の上に上側の分別収集ごみ箱１を後方に位置をずらせて載置し、その後上側の分別収集ごみ箱１を前方に移動させ、上下の分別収集ごみ箱１の前部において上係合レール９と下係合レール１０を係合させる。次いで、上側の分別収集ごみ箱１の後壁６下端に連設され、当該分別収集ごみ箱１の後壁６の下部に設けられた嵌合突部１４に嵌合させていた結合片１２を、嵌合突部１４との嵌合を外して下方に回動させ、下方の分別収集ごみ箱１の後壁６の上部に設けられた嵌合突部１４に嵌合させ、上下の分別収集ごみ箱１の後壁６を結合片１２にて相互に連結する。
【００２４】
かくして、上下の分別収集ごみ箱１を、その前部において係合レール９、１０を係合させ、後面において結合片１２を嵌合突部１４に嵌合させて連結するという簡単な作業によって相互に一体結合して設置することができる。分別収集ごみ箱１を３段以上に積み重ねて設置する場合にも同様にして相互に一体結合することができる。また、各分別収集ごみ箱１を掃除する等、メンテナンスを行う場合には、後面での結合片１２による連結を解除した後、上側の分別収集ごみ箱１を後方に移動させるだけの簡単な作業で、各分別収集ごみ箱１に組外すことができる。
【００２５】
また、この分別収集ごみ箱１の構成によれば、上係合レール９、下係合レール１０、結合片１２、及び嵌合突部１４は、外ケース２に一体成形しているので、分別収集ごみ箱１を上下に一体化するための部品を別途に必要とせず、部品点数が極めて少なくて済み、かついずれも構成が簡単であるため、分別収集ごみ箱１を安価に製造することができる。
【００２６】
さらに、分別収集ごみ箱１の側壁５には何も設ける必要がないのでほぼ面一にでき、見栄えも設置スペースの上からも好適であり、特に横方向に複数列並列して設置する場合にコンパクトに見栄え良く設置することができる。
【００２７】
そして、この分別収集ごみ箱１にごみを捨てる際には、収容ケース３の前面板１８の上端の取手部１９を手で手前に引くことで、収容ケース３が係合突起１７と係止溝１５の係合点を支点にして回動角度Ｄまで前方に回動し、上記のように収容ケース３の上面開口の前部が外ケース２の前面より外方に大きく突出する。このように収容ケース３を回動させたときに、収容ケース３の上縁が外ケース２の上壁７と干渉しないようにするため、その上縁を側面視で後方に向けて円弧状にカットする必要があるが、本実施形態では上記のように収容ケース３の回動支点が、前面から収容ケース３の前後長さの１／４以上、１／２以下の範囲内の距離Ｃだけ後方に移動した位置に設定されているので、収容ケース３の前後長さを十分に長くし、また回動角度Ｄを２５度〜３０度と比較的大きくしても、収容ケース３の後端での高さ寸法を十分に確保することができ、その結果収容ケース３の前部の底部に、回動支点を後方に移動させたことで必要となった所要の傾斜カット部１６を設けても収容ケース３の収容スペースを大きく確保することができる。
【００２８】
かくして、外ケース２の前面から前方に大きく突出した収容ケース３の上面開口から収容ケース３内にごみを容易に投入して収容することができ、その後取手部１９から手を離せば、収容ケース３の重心は通常支点より後方にあるので自動的に収容ケース３が外ケース２内に完全に収容された状態に復帰する。
【００２９】
また、外ケース２から収容ケース３を引き出す場合には、取手部１９を適当角度前方に回動させた状態で、前方に強く引き出すことで、係合突起１７を係止溝１５から離脱させることができ、そのまま収容ケース３を外部に簡単に引き出すことができる。したがって、収容ケース３からごみ袋を取り出したり、ごみ袋をセットしたり、収容ケース３を掃除したり、水洗いしたりする作業を容易に行うことができる。
【産業上の利用可能性】
【００３０】
本考案の分別収集ごみ箱は、設置状態では前面が面一でスペース的に有利であり、かつ収容ケースを前方に回動させることでごみの投入口が前方に開口してごみを容易に投入でき、また外ケースから収容ケースを取り出してメンテナンスも容易に行え、しかも収容ケースの底部の前部に収容ケースの前後長の１／４以上、１／２以下の前後長の傾斜カット部を形成して収容ケースの回動支点を後方に移動させたことで、収容ケースの前後長を十分に長くし回動角度を比較的大きくしても、収容ケースの後端での高さ寸法を十分に確保して収容ケースの収容容積を大きく確保することができるという多大な効果が得られるため、上下や左右に並列して設置する分別収集ごみ箱に有用である。
【図面の簡単な説明】
【００３１】
【図１】本考案の一実施形態の分別収集ごみ箱を上下に積み重ねて一体結合した状態を示し、（ａ）は斜め前方から見た斜視図、（ｂ）は斜め後方から見た斜視図である。
【図２】同実施形態の単体の分別収集ごみ箱の斜視図である。
【図３】同分別収集ごみ箱において、収容ケースを前方に回動させて上面開口の前部を外部に開いた状態の斜視図である。
【図４】同分別収集ごみ箱において、外ケースから収容ケースを引き出した状態の斜視図である。
【図５】同分別収集ごみ箱の正面図である。
【図６】同分別収集ごみ箱の後面図である。
【図７】同分別収集ごみ箱の側面図である。
【図８】同分別収集ごみ箱の平面図である。
【図９】図５のＡ−Ａ矢視縦断側面図である。
【図１０】図８のＢ−Ｂ矢視縦断側面図である。
【図１１】同分別収集ごみ箱における上下の係合レールの詳細を示し、（ａ）は係合状態の部分断面正面図、（ｂ）は係合状態の部分断面側面図、（ｃ）は係合動作を説明する斜視図である。
【図１２】同分別収集ごみ箱における結合片と嵌合突部の詳細を示す縦断側面図である。
【図１３】同分別収集ごみ箱における結合片と嵌合突部の他の構成例の詳細を示す縦断側面図である。
【符号の説明】
【００３２】
１  分別収集ごみ箱
２  外ケース
３  収容ケース
１５  係止溝
１６  傾斜カット部
１７  係合突起（回動支点）
【図１】
0003114152.tif 000003
【図２】
0003114152.tif 000004
【図３】
0003114152.tif 000005
【図４】
0003114152.tif 000006
【図５】
0003114152.tif 000007
【図６】
0003114152.tif 000008
【図７】
0003114152.tif 000009
【図８】
0003114152.tif 000010
【図９】
0003114152.tif 000011
【図１０】
0003114152.tif 000012
【図１１】
0003114152.tif 000013
【図１２】
0003114152.tif 000014
【図１３】
0003114152.tif 000015